(57)【要約】      （修正有）【課題】日除け部の開度を全開から全閉までのあいだを容易に調節でき、取付金具を交換できるアーチ型フレームを提供する。【解決手段】左右の取付金具５と、当該左右の取付金具とは取り外し交換可能に接続され、上方にアーチ型に張り渡した固定フレーム１ａと、固定フレームの途中から軸を設けた、同じくアーチ型に張り渡した回動する可動フレーム１ｂと、フレーム間に遮光性と撥水性を有するカバー２を設け、カバーの許容範囲分だけ可動フレームを回動可能とすることにより、カバーの大きさを調節できることを特徴とする日除け雨傘カバー用取付金具付アーチ型フレーム。【選択図】図１
0003157111.tif 000002
【実用新案登録請求の範囲】
【請求項１】
左右の取付金具５と、当該左右の取付金具５とは取り外し交換可能に接続され、上方にアーチ型に張り渡した固定フレーム１ａと、固定フレーム１ａの途中から軸４を設けた、同じくアーチ型に張り渡した回動する可動フレーム１ｂと、フレーム間に遮光性と撥水性を有するカバー２を設け、
前記取付金具５は、直方体の土台５ａに、半円形の接触面をもつ２つの開口片５ｃと、その2つの開口片５ｃを保持するジョイント部５ｂを、土台５ａの二箇所にもち、夫々の開口片５ｃに、パイプ８の太さに応じて複数段階に固定できる爪と溝５ｄを設け、半円の開口片５ｃにパイプ８をかませ、取付金具５をパイプ８に押し込むことで、開口片奥にパイプ８が当たり、ジョイント部５ｂが支点となり、押し込み続けることで開口片５ｃの先の部分が閉じて行き、爪と溝５ｄが噛み合うことによって固定し、前記開口片内側に滑り止め用ゴム７を設けることにより、車椅子の介護者が持つハンドル前部のパイプ湾曲部に角度を変えて取り付けられることを特徴とする日除け雨傘カバー用取付金具付アーチ型フレーム。
【考案の詳細な説明】
【技術分野】
【０００１】
本考案は、固定フレームと可動フレーム間に遮光性、撥水性のあるカバーからなる日除け
雨傘カバー用取付金具付アーチ型フレームに関する。  
【背景技術】
【０００２】
車椅子や椅子などの利用者を日射しや雨から守るための、簡単に着脱でき、且つ畳める構
造をもつものとして、例えば特許文献１には、可撓性を有する合成樹脂からなる複数の実
質的に同じ大きさの帯状の形状を有し、かつ遮光性を有するフードピースからなることを
特徴とする日除けフードが開示されている。
【０００３】
特許文献１の日除けフードの場合、日除けフードは、第１フードピース、第２フードピー
ス、第３フードピース、第４フードピースおよび第５フードピースから構成されている。
また日除け部の開度を全開から全閉までのあいだで微調整し得るようにする観点から、フ
ードピースの数を５としたが、５に限られることはなく、３つのフードピースからなるも
のでも６以上（たとえば、６，７または８）のフードピースからなるようにすることもで
きるとしている。
【０００４】
また前記日除けフードにはフードピースを回動させるための軸受に、日除けフードを車両
（車椅子、乳母車など）の車体（ハンドルまたは肘掛などを含む）に自由に取りつけるた
めのブラケットをネジにより設けることができるとしている。
【先行技術文献】
【特許文献】
【０００５】
【特許文献１】実用新案登録第３１１０８４０号公報
【考案の概要】
【考案が解決しようとする課題】
【０００６】
特許文献１の発明の場合、日除け部の開度を全開から全閉までの間で微調整すること
ができるが、フレーム数が増え複雑な構造となり、取付金具の形状により取り付け場所の
形状が限られている。
【０００７】
本考案は日除け部の開度を全開から全閉までのあいだを容易に微調整でき、取付金具
を交換でき、持ち運びもできる日除け雨傘カバー用取付金具付アーチ型フレームを提供す
ることを目的とする。
【課題を解決するための手段】
【０００８】
本考案の日除け雨傘カバー用取付金具付アーチ型フレームは、左右の取付金具と、左右の取付金具から上方にアーチ型に張り渡した固定フレームと、固定フレームの途中から軸を設けた、同じくアーチ型に張り渡した回動する可動フレームを有し、フレーム間に遮光性と撥水性を有するカバーを設け、カバーの大きさ分だけ可動フレームを回動可能にできる構造である。
【０００９】
又、日除け部の開度を微調整するため、次の手法を用いる。
【００１０】
固定フレームのアーチ頂点部からカバーの許容範囲分の長さの布を設け、この布の全面に
面ファスナーを配し、可動フレームのアーチ頂点部にも面ファスナーを設けることで、面
ファスナーの張り合わせ場所を換えるだけで日除け部開度の微調整ができる。
【００１１】
前記以外にも、例えば車椅子であれば、内側に滑り止め用のゴムを設けた取付金具で、介
護者が持つハンドル前部のパイプ湾曲部に取り付け可能なため、本考案の日除け雨傘カバ
ー用取付金具付アーチ型フレーム全体の角度を変えることができる。
【００１２】
取付金具は、交換可能なため、取り付け場所の形状に合わせた取付金具に交換できる。
【００１３】
また、アーチ型フレームの素材として、アルミの板を用いており、この板をアーチ型に
曲げた構造であるため、元に戻ろうとする力、即ち外へ開こうとする力をもつ。この力を
抑えるため固定フレームの取付金具付近に、布を左右に渡す。
【００１４】
左右に渡した布は、日除け雨傘カバー用取付金具付アーチ型フレームを取り外した際、左
右の取付金具同士を引き寄せ、布を巻きつけコンパクトに収納するためにも使用する。
【考案の効果】
【００１５】
本考案によれば、日除け部の開度を微調整でき、取付金具が交換可能なため取り付け場所
の形状に合わせることができ、持ち運びもできる日除け雨傘カバー用取付金具付アーチ型
フレームを提供できる。
【図面の簡単な説明】
【００１６】
【図１】本考案の日除け雨傘カバー用取付金具付アーチ型フレームを示す斜視図
【図２】本考案の日除け雨傘カバー用取付金具付アーチ型フレームの交換可能な取付    金具例
【図３】本考案の日除け雨傘カバー用取付金具付アーチ型フレームの取付金具一実施    例（押し込み式）を示す図
【図４】本考案の日除け雨傘カバー用取付金具付アーチ型フレームの取付金具一実施    例（挟み込んで蝶ナットで締める方式）を示す図
【図５】本考案の日除け雨傘カバー用取付金具付アーチ型フレームの車椅子に取り付    けた一実施例を示す斜視図
【図６】本考案の日除け雨傘カバー用取付金具付アーチ型フレームの椅子に取り付け    た一実施例を示す斜視図
【考案を実施するための形態】
【００１７】
以下、添付図面を参照にしながら本考案の日除け雨傘カバー用取付金具付アーチ型フレー
ムの実施例を説明する。
【実施例】
【００１８】
図１は、本考案の日除け雨傘カバー用取付金具付アーチ型フレーム１の一実施の形態に関
する斜視図であり、図１ａは日除け部全開、図１ｂは日除け部の開度調節を行った斜視図
、図１ｃは日除け部を全閉した背面図で、図１ｄは左右の取付金具５同士を引き寄せ、布
３を巻きつけコンパクトに収納した正面図である。
【００１９】
本考案の日除け雨傘カバー用取付金具付アーチ型フレーム１は、図１のように、左右の取付金具５と、当該左右の取付金具５とは取り外し交換可能に接続され、上方にアーチ型に張り渡した固定フレーム１ａと、固定フレーム１ａの途中から軸４を設けた、同じくアーチ型に張り渡した回動する可動フレーム１ｂと、フレーム間に遮光性と撥水性を有するカバー２を設け、カバー２の大きさ分だけ可動フレーム１ｂを回動可能にできる構造である。
【００２０】
日除け部の開度調節には、図１ｂのように固定フレーム１ａのアーチ頂点部からカバー２
の許容範囲分の長さの布６を設け、この布の全面に面ファスナー６ａを配し、可動フレー
ム１ｂのアーチ頂点部にも面ファスナー１ｃを設けることで、面ファスナー６ａの張り合
わせ場所を換えるだけで微調整ができる。
【００２１】
また、図１ｄは日除け雨傘カバー用取付金具付アーチ型フレーム１を収納する際、図１ｃ
の日除け部全閉状態から、左右の取付金具５同士を引き寄せ、左右に渡してある布３を巻
きつけコンパクトに収納できる。
【００２２】
図２は、取付金具５を交換できる４つの構成例であり、ボルト５ｇを固定フレーム１ａと
、取付金具５に通し、ナット１１で締め付ける構造であるため交換が容易である。図２ａ
は、押し込み式、図２ｂは挟み込んで蝶ナット５ｈで締める方式、図２ｃは、強力なバネ
をもったハサミタイプ、図２ｄは、コの字型のクランプタイプである。
【００２３】
図３は、図２aの押し込み式の取付金具の一構成例である。その構造は直方体の土台５ａと、土台５ａの二箇所からシーソーの支点の役割をもつ半円形の接触面をもつ２つの開口片５ｃと、その2つの開口片５ｃを保持するジョイント部５ｂと、夫々の開口片５ｃに、パイプ８の太さに応じて複数段階に固定できる爪と溝５ｄを設け、半円の開口片５ｃにパイプ８をかませ、取付金具５をパイプ８に押し込むことで、開口片奥にパイプ８が当たり、ジョイント部５ｂがシーソーの支点の働きをし、押し込み続けることで開口片５ｃの先の部分が閉じて行き、爪と溝５ｄが噛み合うことによって固定され、マイナスドライバー
などで爪と溝５ｄの間を開くだけで取り外しできる。
【００２４】
図４は、図２ｂの挟み込んで蝶ナットで締める方式の取付金具の一構成例であり、軸５ｅを介し半円の開口片５ｆをもつ金具を、夫々パイプ８に当て、ボルト５ｇと蝶ナット５ｈなどで固定する構造である。
【００２５】
取付金具５全てにおいて、開口片内側に滑り止め用ゴム７を設ける。
【００２６】
図５ａは、本考案の日除け雨傘カバー用取付金具付アーチ型フレーム１を車椅子９に取り
付けた応用例を示す斜視図であり、適度な日除け部開度により日除け雨避け効果と、車椅
子利用者への圧迫感の軽減や、介護者の協力による移動の際の視界確保も望める。また、
図５ｂは、日除け雨傘カバー用取付金具付アーチ型フレーム１を、介護者が持つハンドル
前部のパイプ８湾曲部に取り付け、日除け雨傘カバー用取付金具付アーチ型フレーム１全
体の角度を変えた斜視図である。
【００２７】
図６は、本考案の日除け雨傘カバー用取付金具付アーチ型フレーム１を、椅子１０に取り
付けた一実施例を示す斜視図であり、取付金具５を変えるだけで図５同様の効果を得るこ
とができる。
【符号の説明】
【００２８】
１    日除け雨傘カバー用取付金具付アーチ型フレーム
１ａ  固定フレーム
１ｂ  可動フレーム
１ｃ  面ファスナー
２    カバー
３    左右に渡した布
４    軸
５    取付金具
５ａ  土台
５ｂ  ジョイント部
５ｃ  開口片
５ｄ  爪
５ｅ  軸
５ｆ  半円の開口片
５ｇ  ボルト
５ｈ  蝶ナット
６    面ファスナー付布
６ａ  面ファスナー
７    ゴム
８    パイプ
９    車椅子
１０  椅子
１１  ナット
【図１】
0003157111.tif 000003
【図２】
0003157111.tif 000004
【図３】
0003157111.tif 000005
【図４】
0003157111.tif 000006
【図５】
0003157111.tif 000007
【図６】
0003157111.tif 000008